(57)【特許請求の範囲】
【請求項１】
便器本体と、
前記便器本体の上面に設けられていて機能部を設置したベース部と、
前記便器本体と機能部との間に設けられていて前記便器本体の便鉢から溢れた水を排出する流路と
を備え、
前記流路は前記ベース部に形成され、前記ベース部に形成した流路開口を介して前記便器本体に連通していることを特徴とする水洗式便器。
【請求項２】
便器本体と、
前記便器本体の上面に設けられていて機能部を設置したベース部と、
前記便器本体と機能部との間に設けられていて前記便器本体の便鉢から溢れた水を排出する流路と
を備え、
前記便器本体のベース部を設置する前記上面に凹部が形成され、前記凹部に前記流路が形成されていることを特徴とする水洗式便器。
【請求項３】
前記凹部の流路には水を検知するセンサが設置されている請求項２に記載された水洗式便器。
【請求項４】
便器本体と、
前記便器本体の上面に設けられていて機能部を設置したベース部と、
前記便器本体と機能部との間に設けられていて前記便器本体の便鉢から溢れた水を排出する流路と
を備え、
前記流路は前記便器本体に形成された下方に開口する穴部に連通していることを特徴とする水洗式便器。
【請求項５】
便器本体と、
前記便器本体の上面に設けられていて機能部を設置したベース部と、
前記便器本体と機能部との間に設けられていて前記便器本体の便鉢から溢れた水を排出する流路と
を備え、
前記流路は前記便器本体の下方に突出して形成された凹陥部に連通し、該凹陥部には水を検知するセンサが設置されていることを特徴とする水洗式便器。
【請求項６】
前記凹陥部には前記機能部より高さの低い位置に排水用の開口を設けた請求項５に記載された水洗式便器。
【請求項７】
前記流路は前記便器本体とベース部の間に形成されている請求項１から６のいずれか一項に記載された水洗式便器。
【発明の詳細な説明】
【技術分野】
【０００１】
本発明は、便鉢のトラップ管路等が詰まって洗浄用の水が便鉢から溢れ出ることを防止するようにした水洗式便器に関する。
【背景技術】
【０００２】
従来、便鉢のトラップ管路に汚物等が詰まって洗浄用の水が溢れ出ることを防止する装置として特許文献１に記載された水洗式便器が提案されている。この水洗式便器では、トラップ管路に接続したボウル部の上端近傍に水平方向に延びる逃がし流路の流入口を設置し、その他端側の流出口から別の配水管に通じる排水流路を接続している。逃がし流路内の流出口より低い位置に水位感知センサを設けている。
【０００３】
そして、ボウル部に供給された洗浄用の水がトラップ管路の詰まり等で水位が上昇した場合に、ボウル部の上端近傍の逃がし流路内に流入する洗浄水を水位感知センサで感知し、ボウル部への洗浄水の供給を停止させる。水位感知センサによって、ボウル部内に供給される水がボウル部から水が溢れ出るオーバーフローを防止している。
【先行技術文献】
【特許文献】
【０００４】
【特許文献１】特開２０１１−１４０８３３号公報
【発明の概要】
【発明が解決しようとする課題】
【０００５】
しかしながら、特許文献１に記載の水洗式便器ではボウル部の上端近傍に水位感知センサが設置されているため、水位感知センサによる水位検知によって洗浄水の供給が停止し水位上昇が停止するまでに汚水がボウル部の上部からオーバーフローして局部洗浄装置の機能部が浸水したり水没したりするおそれがあった。また、水位感知センサが故障するとオーバーフローを防止できない。
【０００６】
本発明は、このような課題に鑑みてなされたものであって、便鉢から水がオーバーフローすることを阻止して機能部が浸水したり水没することを防止できる水洗式便器を提供することを目的とする。
【課題を解決するための手段】
【０００７】
本発明による水洗式便器は、便器本体と、便器本体の上面に設けられていて機能部を設置したベース部と、便器本体と機能部との間に設けられていて便器本体の便鉢から溢れた水を排出する流路とを備え、前記流路は前記ベース部に形成され、前記ベース部に形成した流路開口を介して前記便器本体に連通していることを特徴とする。
本発明によれば、便器本体と機能部との間に便鉢内の水を排出する流路を形成したため、便鉢のトラップ管路等が詰まった場合でも便鉢から溢れた水を流路を通して排水させることができる。その際、ベース部に設置した機能部の水没や汚染を防止できる。
また、便鉢からベース部の流路上を水が流れても流路開口を通して便器本体に排水できるため、ベース部上の機能部の浸水を抑制できる。
【０００８】
また、流路は便器本体とベース部の間に形成されていてもよい。
この場合には、ベース部に設置した機能部の浸水を防止できる。
【００１０】
本発明による水洗式便器は、便器本体と、前記便器本体の上面に設けられていて機能部を設置したベース部と、前記便器本体と機能部との間に設けられていて前記便器本体の便鉢から溢れた水を排出する流路とを備え、便器本体のベース部を設置する上面に凹部が形成され、凹部に流路が形成されていることを特徴とする。
本発明によれば、便器本体と機能部との間に便鉢内の水を排出する流路を形成したため、便鉢のトラップ管路等が詰まった場合でも便鉢から溢れた水を流路を通して排水させることができる。その際、ベース部に設置した機能部の水没や汚染を防止できる。また、便器本体の凹部に流路が形成されていると、便鉢が詰まった場合でも流路を通して排水することができ、ベース部に設置した機能部の浸水や水没を防止できる。
【００１１】
また、凹部の流路には水を検知するセンサが設置されていてもよい。
便鉢から凹部の流路に水が流れ出たことをセンサによって検知して便鉢への水の供給を停止できる。
【００１２】
本発明による水洗式便器は、便器本体と、前記便器本体の上面に設けられていて機能部を設置したベース部と、前記便器本体と機能部との間に設けられていて前記便器本体の便鉢から溢れた水を排出する流路とを備え、流路は便器本体に形成された下方に開口する穴部に連通していることを特徴とする。
本発明によれば、便器本体と機能部との間に便鉢内の水を排出する流路を形成したため、便鉢のトラップ管路等が詰まった場合でも便鉢から溢れた水を流路を通して排水させることができる。その際、ベース部に設置した機能部の水没や汚染を防止できる。また、流路を流れる水は便器本体の穴部を通して床面等の下方に排水できる。
【００１３】
本発明による水洗式便器は、便器本体と、前記便器本体の上面に設けられていて機能部を設置したベース部と、前記便器本体と機能部との間に設けられていて前記便器本体の便鉢から溢れた水を排出する流路とを備え、流路は便器本体の下方に突出して形成された凹陥部に連通し、凹陥部には水を検知するセンサが設置されていることを特徴とする。
本発明によれば、便器本体と機能部との間に便鉢内の水を排出する流路を形成したため、便鉢のトラップ管路等が詰まった場合でも便鉢から溢れた水を流路を通して排水させることができる。その際、ベース部に設置した機能部の水没や汚染を防止できる。また、便器本体の流路を流れる水を凹陥部の底部に落として貯留されるとセンサで検知して便鉢への給水を停止できる。
【００１４】
また、凹陥部には機能部より高さの低い位置に下方に排水する開口を設けてもよい。
仮に何らかの原因で凹陥部の底部に溜まる水の水位がセンサを超えて上昇したとしても、機能部が浸水する前に開口から排出できる。
【発明の効果】
【００１５】
本発明による水洗式便器では、便器本体の便鉢が詰まった場合でも便鉢に供給される水を便器本体と機能部との間の流路から排出でき、便鉢を水がオーバーフローすることなくベース部に設けた機能部が浸水したり水没することを防止できる。
【図面の簡単な説明】
【００１６】
【図１】本発明の第一実施形態による水洗式便器の要部斜視図である。
【図２】図１に示す水洗式便器の便器本体とベースプレートを示す要部斜視図である。
【図３】図２において便器本体の要部平面図であり、（ａ）は凹部にベースプレートを設置した図、（ｂ）は凹部からベースプレートを除いた図である。
【図４】便鉢の水を便器本体の凹部から床面に流す流路を示す要部縦断面図である。
【図５】便器本体の凹部とベースプレートとの間の流路を示す要部説明図である。
【図６】第二実施形態による水洗式便器の便器本体に設けたベースプレート上の流路を示す要部平面図である。
【図７】ベースプレートを除いた便器本体の要部平面図である。
【図８】便鉢の水を便器本体の凹部に形成した凹陥部に流す流路を示す要部縦断面図である。
【発明を実施するための形態】
【００１７】
以下、本発明の各実施形態による局部洗浄装置を備えた水洗式便器を添付図面によって説明する。
図１乃至図５は本発明の第一実施形態による水洗式便器１を示すものである。本明細書において、水洗式便器１を取り付けるトイレ空間の壁面側または背面側を後部、後方といい、これと反対側（人が小便をする際に立つ方）を前部、前方という。
図１に示す第一実施形態による水洗式便器はトイレ空間の例えば壁面に設置するタイプである。陶器製の便器本体２の上面後部にベースプレート３が固定され、ベースプレート３の上に局部洗浄装置の機能部４が設置されている。機能部４には洗浄ノズル５とヒータで加温される洗浄水タンク(図示せず)と電装部品等の各種機能部品が設置されている。
【００１８】
図２及び図３（ａ）は便器本体２の上面における便器本体２の後方に設けたベースプレート３を示すものであり、ベースプレート３上に設置する機能部４は省略されている。図３において、便器本体２の上面後部に形成した凹部１０にベースプレート３を反転ナット等で固定した状態で、ベースプレート３の便鉢９に臨む前方端部の中央がその周囲より低く形成された先端低部３ａとして形成され、その後方側周囲の周辺部３ｂが段差を介して一段高く形成されている。先端低部３ａ上には洗浄ノズル５等が設置され、周辺部３ｂには後述する突出部１３，１４が形成されている。
図３（ｂ）に示すベースプレート３を除いた便器本体２において、便鉢９の上面９ａは、便鉢９の上方に全周に亘っており、上面９ａの後方は上面９ａの前方及び側方に対して一段凹んで平面視略半円状の凹部１０が形成されている(図２参照)。凹部１０の後部には略円弧状の突堤部１０ａが仕切として形成されている。
【００１９】
凹部１０内には下方に開口する例えば２つの穴部１１，１２が左右方向に形成されている。これらの穴部１１、１２と便鉢９の後端との間には凹部１０における両側部を上段部１０ｂとして中央部を上段部１０ｂよりもテーパ部を介して一段高さの低い下段部１０ｃが形成されている。凹部１０の下段部１０ｃの上にベースプレート３の先端低部３ａが載置される。
図２乃至図４において、ベースプレート３の周辺部３ｂには凹部１０の穴部１１、１２に嵌合する有底筒状の突出部１３、１４が下方に向けて突出して形成されている。突出部１３，１４内には機能部４の一部の部品が収納されている。これによって機能部４の高さを従来のものより低く設定できる。
【００２０】
図２において、ベースプレート３の前面には中央に便鉢９に臨む洗浄ノズル５を覆うプレート１６が設置されている。便鉢９の後方側の面には洗浄用の水を便鉢９の上面９ａ裏側のリムに沿って供給し吐出する通水口１７が斜め方向に開口している。凹部１０はリムの上面または便鉢９の上面９ａの高さ位置に形成されている。
そして、図２に示す便器本体２の凹部１０内にベースプレート３を固定した状態で、便鉢９に臨むベースプレート３の前方端部におけるプレート１６の両側部に起立部３ｃがそれぞれ形成されている。各起立部３ｃの上端には突堤部１０ａに載置されるフランジ部３ｄが形成されている。凹部１０の上段部１０ｂ及び下段部１０ｃの上面であってベースプレート３の幅方向両側の起立部３ｃと凹部１０の前方側壁１０ｄとの間には、便鉢９内の水を溢れ出る前に排出するための一対の流路１８、１９の流入口１８ａ，１９ａが形成されている。
【００２１】
両端の流入口１８ａ，１９ａ間の中央部ではベースプレートの先端低部３ａと凹部１０との間がシール部材（図示せず）でシールされている。ベースプレート３上の中央部分には洗浄ノズル５や電装部品が集中して設置されるので、流路１８，１９を設置することを避けることが好ましい。図３（ｂ）において、流路１８，１９は流入口１８ａ，１９ａから凹部１０の上段部１０ｂを経由して穴部１１，１２に連通しており、穴部１１，１２は下方に開口している。
図４及び図５は一方の流路１８（１９）を示している。流路１８，１９は穴部１１，１２内ではベースプレート３の突出部１３、１４との隙間を通して形成され、その下方の流出口１８ｂ、１９ｂから下方に開口している。
そのため、便鉢９内に供給される水の水位が上がった場合、便鉢９の上面９ａの前方及び側方から便器本体外側に溢れる前であって便鉢上面９ａの後方（上段部１０ｂや下段部１０ｃ等）において、溢れた水は便器本体２とベースプレート３との間の流入口１８ａ，１９ａから流路１８，１９に流入して流出口１８ｂ、１９ｂから下方の床面に落下する。なお、便鉢９から溢れ出る水は流路１８，１９以外の凹部１０の上段部１０ｂや下段部１０ｃを流れることができる。
【００２２】
本実施形態による水洗式便器１は上述した構成を備えており、次にその作用を説明する。洗浄用の水を便器本体２の便鉢９内に供給して汚物を排出する場合、便鉢９のトラップ管路が詰まると便鉢９の水位が上昇する。便鉢９の水位が上面９ａの下側のリムの上面付近に到達すると、水(汚水)はベースプレート３の前方端部の両端の起立部３ｃと凹部１０の前方側壁１０ｄとの間の流入口１８ａ，１９ａを通して流路１８，１９内に流入する。
そして、流路１８，１９内に流入した水は凹部１０の上段部１０ｂを流れて穴部１１，１２内に落下し、穴部１１，１２とベースプレート３の突出部１３、１４の隙間を通って流出口１８ｂ、１９ｂからトイレ空間の床面上に落下する。そのため、トラップ管路が詰まって便鉢９内の水位が上昇しても便鉢９の上面９ａの前方及び側方から便器本体２の外側に水が溢れることがない。
【００２３】
床面上に落下した水を見て使用者等が便鉢９のトラップ管路等の詰まりを発見し、手動で止水できる。しかも、便鉢９内の水がベースプレート３の先端低部３ａから流入して機能部４が浸水することを防止できる。
また、便鉢９内の汚物を排出させるため、止水後に使用者が誤ってバケツの水等を便鉢９内に注水して水位が上昇したとしても同様に流路１８，１９を通して床面上に排水できるため、便鉢９をオーバーフローしてベースプレート３上の機能部４を浸水させることはない。
【００２４】
上述したように本第一実施形態による水洗式便器１によれば、ベースプレート３の突出部１３，１４内に機能部４の一部を収納して凹部１０内の穴部１１，１２内に嵌合し、しかも凹部１０内にベースプレート３を設置したため、機能部４を含む製品高さを低くできてコンパクトに形成できる。
そして、便鉢９やそのトラップ管路等が詰まった場合に、便鉢９内に供給される水の水位が上昇しても、便器本体２とベースプレート３の間の流入口１８ａ，１９ａから流路１８，１９を通して穴部１１，１２と突出部１３，１４の隙間から床面に水を落下させることができる。そのため、便鉢９のオーバーフローを阻止し、ベースプレート３上の電装部品等の機能部４の浸水や汚染等を防止できる。
【００２５】
なお、本発明による水洗式便器１は、上述した第一実施形態に限定されるものではなく、本発明の要旨を逸脱しない範囲で適宜の変更や置換等が可能である。以下に、本発明の他の実施形態や変形例等について説明するが、上述した第一実施形態で説明した部品や部材等と同一または同様なものについては同一の符号を用いて説明を省略する。
【００２６】
次に本発明の第二実施形態による水洗式便器１Ａについて図６乃至図８により説明する。本第二実施形態においても、水洗式便器１Ａは基本構造を第一実施形態による水洗式便器１と共通にしている。本第二実施形態による水洗式便器１Ａはトイレ空間の例えば床面に設置するタイプである。図６及び図７において、便器本体２の便鉢９の後方に第一実施形態の凹部１０と同様な形状の凹部２０が形成され、その上部にベースプレート２３が設置されている。
【００２７】
ベースプレート２３は第一実施形態と同様に、ベースプレート２３の便鉢９に臨む前方端部の中央がその周囲より低く形成された先端低部２３ａとされ、その後方周囲が段差を介して一段高く形成された周辺部２３ｂとされている。先端低部２３ａの幅方向両端部に第一実施形態の流路１８，１９の流入口１８ａ、１９ａは形成されておらず、両側の起立部２３ｃは凹部２０の幅方向両側の前方側壁２０ｄに当接している。そして、前方端部のベースプレート２３と凹部２０との間は図示しないシール部材で封止されている。
本実施形態ではベースプレート２３上に便鉢９から溢れ出る水を排出する流路２６が形成されており、ベースプレート２３の先端中央の先端低部２３ａが、流路２６の流入口とされている。図６の矢印は流路を模式的に表したものであって、これに限定されない。
【００２８】
ベースプレート２３において、周辺部２３ｂの幅方向両端部には流路２６を流れる水を下側の凹部２０内に流出させる排出用の流路開口２４、２５が形成されている。そのため、上流側の流路２６は先端低部２３ａから流路開口２４，２５の間に形成されている。ベースプレート２３の流路２６の後方側には、製品の高さを抑えるために機能部４の部品を下方に突出配置させるための開口部２３ｄが形成されている。機能部４が下方に突出する開口部２３ｄは第一実施形態のように底部を封止させる突出部を形成してもよい。また、機能部４はベースプレート２３の先端低部２３ａより高い周辺部２３ｂと開口部２３ｄに設置することが好ましい。
機能部４の部品はベースプレート２３の周辺部２３ｂ上に設置されるが、流路２６上の周辺部２３ｂで機能部４の一部の部品が浸水しても、水に触れることを嫌う電装部品等は周辺部２３ｂ上の比較的高い位置に設置されるため浸水や水没を防止できる。
なお、本実施形態では、ベースプレート２３上の流路開口２４、２５に限定されることなく、他の開口を通して凹部２０内に水が流れてもよく、これらを流路２６の一部としてもよい。本実施形態では便鉢９に供給された水がベースプレート２３の先端低部２３ａから流路２６を流れ出るものとする。
【００２９】
図７に示す便器本体２の凹部２０において、便鉢９側の前方にベースプレート２３の先端低部２３ａが設置される低部２０ａが形成され、その後方側に一段高さの高い周辺ランド部２０ｂが形成されている。周辺ランド部２０ｂの後方には下方に突出した凹陥部２７が形成されている。凹陥部２７は略有底箱状の空間形状を有しており、その底部２７ａは中央に上方に膨らむ凸面２７ｂが形成されている。この凸面２７ｂや一方の側壁２７ｃには底部２７ａより高い位置に排水用の排水開口２８が複数形成されている。そのため、ベースプレート２３の開口部２３ｄから下側に延びる機能部４の下端は排水開口２８よりも上側に位置している。
【００３０】
本実施形態ではベースプレート２３の流路開口２４，２５は例えば凹部２０の周辺ランド部２０ｂの上方に設置されており、ベースプレート２３の流路２６を流れて流路開口２４，２５から凹部２０内に落下した水は周辺ランド部２０ｂを通過してまたは直接、凹陥部２７内に流れ落ちる。
底部２７ａに所定水位以上に水が溜まると、排水開口２８を経由して下方の床面に落下する。そのため、流路２６はベースプレート２３の先端低部２３ａ、周辺部２３ｂの流路開口２４，２５、凹部２０の周辺ランド部２０ｂ、凹陥部２７、排水開口２８によって形成されている。
【００３１】
そして、図８に示す便器本体２の縦断面図において、凹部２０の凹陥部２７内の底部２７ａ付近には例えば浮きと内部スイッチを備えたフロートスイッチ３０が機能部４等から吊り下げられている。流路２６を流れた水が凹陥部２７の底部２７ａに溜まるとフロートスイッチ３０が浮力で傾くことでＯＦＦとＯＮが切り換えられる。この信号に基づいて便鉢９内への水の供給がストップする。
【００３２】
本第二実施形態による水洗式便器１Ａは上述の構成を備えているため、便器本体２の便鉢９内に水を供給して汚物を排出する際、便鉢９のトラップ管路等が詰まると便鉢９の水位が上昇する。便鉢９の水位がベースプレート２３の先端低部２３ａにまで上昇すると、水が先端低部２３ａからベースプレート２３上の流路２６を流れて、流路開口２４、２５から凹部２０内に流れ込む。そして、水は周辺ランド部２０ｂを流れて便器本体２の凹陥部２７内に落下する。なお、ベースプレート２３の周辺部２３ｂを流れる水が幅方向両端の流路開口２４，２５に確実に流れ込むよう、中央から両端に向けてテーパ面を形成してもよい。
【００３３】
また、ベースプレート２３上の流路２６を流れる水が機能部４の下部に接触したとしても、ベースプレート２３上の水は流路開口２４，２５を介して凹部２０内に落ち込むので、水流の深さは浅く機能部品の浸水する部分はわずかである。そのため、ベースプレート２３上のより高い位置に設けた水との接触を嫌う電装部品等が浸水することはなく、機能部４の機能に悪影響を与えない。
そして、流路２６の凹陥部２７の底部２７ａに溜まる水位がある程度上昇すると底部２７ａ近傍に吊り下げられたフロートスイッチ３０が水面に浸って浮力で傾き、フロートスイッチ３０がＯＮ・ＯＦＦ間で切り替わって検知され、図示しない制御回路を介して便鉢９内に供給する水を停止させる。
【００３４】
ここで、仮にフロートスイッチ３０が故障したり、バケツ等で追加の水が便鉢９内に加わったりすると流路２６を介して凹部２０の凹陥部２７内に供給される水量が増大して水位が上昇する。この場合でも、凹陥部２７の凸面２７ｂや側壁２７ｃに設けた排水開口２８を通して床面に落下する。そのため、凹陥部２７の排水開口２８より上方に位置する機能部４が浸水することを防止できる。
なお、便鉢９から溢れた水が流路２６を流れて凹部２０や凹陥部２７が汚れた場合にはベースプレート３を外して掃除できるようにしてもよい。
【００３５】
上述したように本第二実施形態による水洗式便器１Ａによれば、便鉢９の排水時にトラップ管路等が詰まって便鉢９内の水位が上昇しても、ベースプレート２３の先端低部２３ａからベースプレート２３上の流路２６及び流路開口２４，２５を通して凹部２０の凹陥部２７に汚水を溜めて、水が便鉢９を溢れ出ることを防止する。しかも、凹陥部２７に溜まる水が排水開口２８から溢れ出る前にフロートスイッチ３０で便鉢９内への水の供給を停止できるため、床面に流れ落ちたりすることを防止できる。
また、凹陥部２７内に落下する水がフロートスイッチ３０の故障や追加の注水等で更に増えたとしても、所定の水位を超えた水は排水開口２８を通して床面に落下できるので凹陥部２７内に設けた機能部４の浸水や水没を防止できる。
【００３６】
また、便鉢９内の水位が上昇して水が先端低部２３ａを通してベースプレート２３上の流路２６を流れても、流路開口２４，２５から凹部２０に落下する構成のためベースプレート２３上に設置した機能部４の一部が水に接触したとしてもわずかであり、機能部４の汚染や水没を防止できる。
また、機能部４を設置するベースプレート２３を便器本体２の凹部２０内に設置し、ベースプレート２３上の機能部４の一部を開口部２３ｄから凹陥部２７内に設置したため、機能部４を含む製品高さを低くできてコンパクトに形成できる。
【００３７】
なお、上述の第一実施形態による水洗式便器１では、便鉢９から凹部１０とベースプレート３の間の流路１８，１９を流れる水を床面に落下させて機能部４等を保護するようにしたが、凹部１０上等の流路１８，１９に水を検知する水検出センサや水感知センサを設置してもよい。流路１８，１９上で水検出センサや水感知センサで水を検知して便鉢９内への水の供給をストップすれば、汚水が床面に落下することを防止または低減できる。
また、便器本体２の穴部１１，１２とベースプレート３の突出部１３，１４との隙間に流路１８，１９とその流出口１８ｂ、１９ｂを設けたが、穴部１１，１２があれば突出部１３，１４は必ずしも設けなくてもよい。
また、第二実施形態による水洗式便器１Ａでは、便器本体２の凹部１０の後方に設けた凹陥部２７に排水開口２８を設けたが、フロートスイッチ３０によって凹陥部２７内で便鉢９の止水ができるため排水開口２８は省略してもよい。
なお、水検出センサや水感知センサ、フロートスイッチ３０等は水位を検知するセンサに含まれる。
【００３８】
また、本発明の第一実施形態では便鉢９内の水を便器本体２の凹部１０とベースプレート３の間の流路１８，１９から鉢外に排出し、第二実施形態ではベースプレート２３の上面と凹部２０に設けた流路２６から鉢外に排出するようにした。しかし、本発明では、便鉢９内で水位上昇する水を鉢外に排出する流路は、便器本体２の凹部１０、２０と機能部４との間のいずれかに設置できればよい。その際、機能部４の電装部品等を浸水や水没等させなければ、機能部４の一部の下部に水が接触してもよい。
【００３９】
また、第二実施形態において、ベースプレート２３に設けた流路２６に代えて、凹部２０とベースプレート２３の間に第一実施形態に示す流路１８，１９を形成し、穴部１１，１２に代えて凹陥部２７に連通させるようにしてもよい。この場合には機能部４が浸水することはない。
また、上述した各実施形態では便器本体２の便鉢９の後方に設けた凹部１０、２０内にベースプレート３，２３を設置したが、必ずしも凹部１０，２０を形成しなくてもよく、便器本体２の平面上にベースプレート３，２３を設置してもよい。
なお、ベースプレート３，２３はベース部に含まれる。
【符号の説明】
【００４０】
１、１Ａ  水洗式便器
２  便器本体
３、２３  ベースプレート
４  機能部
９  便鉢
１０、２０  凹部
１１，１２  穴部
１３，１４  突出部
１８，１９、２６  流路
１８ａ，１９ａ  流入口
１８ｂ、１９ｂ  流出口
２４、２５  流路開口
２７  凹陥部
２８  排水開口
３０  フロートスイッチ
【図１】
0006683481.tif 000002
【図２】
0006683481.tif 000003
【図３】
0006683481.tif 000004
【図４】
0006683481.tif 000005
【図５】
0006683481.tif 000006
【図６】
0006683481.tif 000007
【図７】
0006683481.tif 000008
【図８】
0006683481.tif 000009